(57)【要約】      （修正有）【課題】バットスプリングのバットへの付勢力を調整可能なアップライトピアノのアクションを提供する。【解決手段】バットフレンジ４０は、本体４１と、二叉部４２とが形成されている。この二叉部４２の一方にバットフレンジコード７の一端が固定され、また、二叉部４２の他方側に設けられた糸通孔４０ｃが設けられ、この糸通孔４０ｃに通されたバットフレンジコード７が本体４１に設けられた巻取ネジ４０ｄに巻き取られて固定されている。このアクションでは、巻取ネジ４０ｄでバットフレンジコード７の一端を巻き取ることで、バットフレンジ４０に固定されている間のバットフレンジコード７の引掛部の長さを調整することができる。そのため、この引掛部の長さを調整することで、この引掛部に引っ掛けられるバットスプリングがバットを付勢する付勢力を調整することができる。【選択図】図４
2012073502.tif 000002
【特許請求の範囲】
【請求項１】
バットフレンジと、
ハンマーを備えるとともに、前記バットフレンジに揺動可能に支持され、押鍵動作を受けると揺動して、前記押鍵動作を前記ハンマーで打弦するための揺動動作に変換するバットと、
前記バットに備えられるとともに、コイルバネで構成され、該コイルバネを形成するコイルの一方の端部が延設された第１足部が前記バットに接触するように配置されたバットスプリングと、
前記バットフレンジに設定された２つの固定部を渡して固定され、該固定部の間の引掛部分に、前記コイルバネを形成するコイルの他方の端部から延設された第２足部が引っ掛けられるバットフレンジコードと、
を備え、
前記バットスプリングは、
前記バットフレンジコードに前記第２足部を引っ掛けて、前記第１足部と前記第２足部との間隔を狭めることで、打弦のため回転する打弦方向とは反対の非打弦方向に前記バットを付勢するアップライトピアノのアクションにおいて、
前記固定部のうち少なくともいずれか一方に、前記バットフレンジコードの前記引掛部分の長さを可変する可変手段を備え、
前記可変手段により前記引掛部分の長さを変えることで、前記第１足部と前記第２足部との間隔を可変し、前記バットスプリングが前記バットを非打弦方向に付勢する付勢力を変更することを特徴とするアップライトピアノのアクション。
【請求項２】
請求項１に記載のアップライトピアノのアクションにおいて、
前記可変手段は、
前記バットフレンジコードを巻回する調整ネジからなることを特徴とするアップライトピアノのアクション。
【請求項３】
請求項２に記載のアップライトピアノのアクションにおいて、
前記調整ネジが設けられた前記固定部は、前記バットフレンジコードを通して仮留めする糸通孔を備え、
前記調整ネジは、
前記糸通孔を通した前記バットフレンジコードを巻回することを特徴とするアップライトピアノのアクション。
【請求項４】
請求項１に記載のアップライトピアノのアクションにおいて、
前記可変手段は、
前記バットフレンジコードを通す糸通孔と、
前記バットフレンジに螺合すると先端が前記糸通孔に達し、前記糸通孔を通っている前記バットフレンジコードを前記糸通孔内で固定する固定手段と
を備え、
前記バットフレンジコードを前記糸通孔内で移動させて、前記固定手段で前記バットフレンジコードを固定する位置を変えることで、前記バットフレンジコードの前記引掛部分の長さを可変することを特徴とするアップライトピアノのアクション。
【請求項５】
請求項１〜４のいずれか１項に記載のアップライトピアノのアクションにおいて、
前記固定部の少なくとも一方は、前記バットフレンジコードを前記バットフレンジに接着して固定することを特徴とするアップライトピアノのアクション。
【発明の詳細な説明】
【技術分野】
【０００１】
本発明は、アップライトピアノのアクションに関する。
【背景技術】
【０００２】
従来、アップライトピアノのアクション１００を構成するバット１０１は、図６に示すように、ハンマー１０２と、バットスプリング１０３とを備え、バットフレンジ１１０に揺動可能に取り付けられている。
【０００３】
また、バットスプリング１０３の先端には、バットフレンジ１１０に固定されたバットフレンジコード１１１が引っ掛けられてたわみ、このたわみにより、バット４を演奏者側（ハンマー１０２が弦を打弦する方向とは反対側）に付勢している（特許文献１）。
【０００４】
バットフレンジコード１１１は、図７に示すように、バットフレンジ１１０に両端を接着して固定した状態で配置されている。
そして、バットスプリング１０３の付勢力は、このバットフレンジコード１１１が固定されている部分の間の引掛部分の長さによって定まり、具体的には、引掛部分の長さが短ければ短いほど、バットスプリング１０３のたわみが強くなる。
【０００５】
そのため、バット１０１に係る付勢力は、バットスプリング１０３のバネ定数と、バットフレンジコード１１１の引掛部の長さで決定される。
このバットスプリング１０３の付勢力は、強すぎるとタッチがバネっぽくなり、弱すぎるとハンマーが初期位置に戻りにくくなって連打ができないなどの問題を生じるので、微妙な調整が求められる。
【０００６】
従って、アクションの製造時には、バットスプリング１０３がバット１０１を付勢する付勢力が適切なものとなるようフレンジコード１１１の固定は極めて慎重に行われる。
【先行技術文献】
【特許文献】
【０００７】
【特許文献１】特開平６−２７９３４号公報
【発明の概要】
【発明が解決しようとする課題】
【０００８】
しかし、バットスプリング１０３の付勢力は、各アクションの微妙な製造誤差や、作業の熟練度合いなどで微妙に変化するので、製品完成後も調整することが求められるが、上述したように、バットフレンジコード１１１が製造の段階で固定されているので、実質的に調整することができなかった。
【０００９】
本発明は、上記点に鑑み、バットスプリングのバットへの付勢力を調整可能なアップライトピアノのアクションを提供することを目的とする。
【課題を解決するための手段】
【００１０】
上記目的を達成するためになされた発明である請求項１に記載のアップライトピアノのアクションは、バットフレンジと、ハンマーを備えるとともに、前記バットフレンジに揺動可能に支持され、押鍵動作を受けると揺動して、前記押鍵動作を前記ハンマーで打弦するための揺動動作に変換するバットと、前記バットに備えられるとともに、コイルバネで構成され、該コイルバネを形成するコイルの一方の端部が延設された第１足部が前記バットに接触するように配置されたバットスプリングと、前記バットフレンジに設定された２つの固定部を渡して固定され、該固定部の間の引掛部分に、前記コイルバネを形成するコイルの他方の端部から延設された第２足部が引っ掛けられるバットフレンジコードと、を備え、前記バットスプリングは、前記バットフレンジコードに前記第２足部を引っ掛け、前記第１足部と前記第２足部との間隔を狭めることで、打弦のため回転する打弦方向とは反対の非打弦方向に前記バットを付勢するアップライトピアノのアクションにおいて、前記固定部のうち少なくともいずれか一方に、前記バットフレンジコードの前記引掛部分の長さを可変する可変手段を備え、前記可変手段により前記引掛部分の長さを変えることで、前記第１足部と前記第２足部との間隔を可変し、前記バットスプリングが前記バットを非打弦方向に付勢する付勢力を変更することを特徴とする。
【００１１】
これによると、可変手段により、バットフレンジに固定されているバットフレンジコードの固定部間の引掛部分の長さを可変することができるので、バットスプリングがバットを非打弦方向に付勢する付勢力を変更することができる。
【００１２】
従って、本発明のアクションを用いると、バットスプリングのバットへの付勢力を自在に調整することができる。
次に、請求項２に記載したように、可変手段は、バットフレンジコードを巻回する調整ネジで構成してもよい。
【００１３】
これによると、調整ネジの回転数を管理することで、バットフレンジコードの引掛部の長さを調整でき、ひいては、バットスプリングの付勢力を調整することができる。
次に、請求項３に記載したように、調整ネジが設けられた固定部は、バットフレンジコードを通して仮留めする糸通孔を備え、調整ネジは、糸通孔を通したバットフレンジコードを巻回するようにしてもよい。
【００１４】
このようにすると、糸通孔でバットフレンジコードが仮留めされ、さらに、調整ネジで固定されるので、バットフレンジコードが押鍵のたびに引っ張られて固定が解かれる方向に力が働いても、固定が解かれて、バットフレンジコードの引掛部の長さが変わってしまうことを防止することができる。
【００１５】
次に、請求項４に記載したように、可変手段は、バットフレンジコードを通す糸通孔と、バットフレンジに螺合すると先端が糸通孔に達し、糸通孔を通っているバットフレンジコードを糸通孔内で固定する固定手段とを備え、バットフレンジコードを糸通孔内で移動させて、固定手段でバットフレンジコードを固定する位置を変えることで、バットフレンジコードの引掛部分の長さを可変するようにしてもよい。
【００１６】
このようにすると、糸通孔に通したバットフレンジコードの糸通孔内での位置を変えて、固定手段で固定する簡単な操作で、バットフレンジコードの引掛部分の長さを変更することができる。
【００１７】
しかも、このようにすると、糸通孔内で強固にバットフレンジコードを固定することができるので、バットフレンジコードが押鍵のたびに引っ張られて固定が解かれる方向に力が働いても、固定が解かれて、バットフレンジコードの引掛部の長さが変わってしまうことを防止することができる。
【００１８】
尚、請求項５に記載したように、固定部の少なくとも一方は、バットフレンジコードをバットフレンジに接着して固定するようにしてもよい。
【図面の簡単な説明】
【００１９】
【図１】アップライトピアノのアクションの右側面図である。
【図２】バット用の後方側の側面を後方側から見た側面図である。
【図３】バットの右側側面を右側から見た側面図である。
【図４】バットフレンジの説明図で、（ａ）は斜視図、（ｂ）は右側面図である。
【図５】その他の実施形態のバットフレンジの説明図で、（ａ）は斜視図、（ｂ）は右側面図である。
【図６】従来のアップライトピアノのアクションの左側面図である。
【図７】従来のバットフレンジの正面図である。
【発明を実施するための形態】
【００２０】
以下に本発明が適用された実施形態であるアップライトピアノのアクションについて説明する。
なお、以下の説明では、演奏のため演奏者が鍵盤の前に座ったとき、ピアノから見て演奏者側を「前方」、その反対側を「後方」、演奏者がピアノを正面にみたときの演奏者から見て左右方向を「左右方向」として説明する。
【００２１】
本実施形態のアップライトピアノは、８８本の鍵９０を有する鍵盤を備えており、各鍵９０は左右方向に並べられている（図１の紙面に対して垂直な方向）。
そして各鍵９０は、筬９１の上面に配置された筬中９２を支点に、前方側を押下すると後方側が上昇するよう、揺動可能に設置されている。
【００２２】
アクション１は、各鍵９０毎に設けられており、各鍵９０の後方側の上方に設置されている。
筬９１の左右端部には、図示しないブラケットが設けられており、左右のブラケットの間には、センターレール８０およびハンマーレール８１等が左右方向に沿って渡されており、アクション１は、このうち主にセンターレール８０に固定されている。
【００２３】
アクション１は、鍵９０を押鍵する押鍵動作を、主に、ウィッペン２、ジャック３、バット４を介して、ハンマー５に伝えている。
以下、各構成について簡単に説明する。
【００２４】
ウィッペン２は、例えば合成樹脂や木材によって所定の形状に形成されており、その後端部において、センターレール８０の下端部に固定されたウィッペンフレンジ２０に、ピン２１を介して回動自在に支持されている。
【００２５】
ウィッペン２の前部には、下方に突出するヒール部２２が設けられており、ウィッペン２は、このヒール部２２を介して、対応する鍵９０の上面後端部に設けられたキャプスタンボタン９３上に載置されている。
【００２６】
ウィッペン２の上面前端部には、バックチェックワイヤ２３が立設されており、このバックチェックワイヤ２３の先端部に、バックチェック２４が取り付けられている。
次に、ジャック３は、例えば合成樹脂で構成されており、射出成形によって一体成形されている。
【００２７】
ジャック３は、前後方向に延びる基部３０と、基部３０の後端部から上方に延びる突上部３１を有しており、基部３０と突上部３１との角部において、ウィッペン２の中央部に、ピン状の支点３２を介して回動自在に支持されている。
【００２８】
ジャック３の基部３０とウィッペン２の間には、離鍵時にジャック３を復帰回動させるためのジャックスプリング３３が設けられている。
また、基部３０の上方には、レギュレティングボタン３４が鍵９０ごとに設けられている（１つのみ図示）。
【００２９】
このレギュレティングボタン３４は、センターレール８０に固定されている。
次に、バット４は、合成樹脂により所定の形状に形成されていて、その後方側の下端部において、センターレール８０の上端部に固定されたバットフレンジ４０に、ピン４８を介して回動自在に支持されており、それにより、ハンマー５は回動自在になっている。
【００３０】
バット４の前面には、キャッチャー４９が取り付けられており、キャッチャー４９は、前方に延び、離鍵状態では、前述したバックチェック２４の後方に位置し、これと対向している。
【００３１】
また、バット４の後方側の上端部は後方に若干突出し、図２に示すように、その左右方向の中央に、溝４３が形成されており、この溝４３には、バットスプリング６が取り付けられている。
【００３２】
次に、ハンマー５は、図１に示すように、ハンマーシャンク５０およびハンマーヘッド５１を有している。
ハンマーシャンク５０は、断面円形の細長い棒状に形成され、アクション１の後述するバット４の上面に立設されており、上下方向に延びている。
【００３３】
ハンマーヘッド５１は、ハンマーウッド５１ａおよびこれに巻かれたハンマーフェルト５１ｂなどで構成されており、ハンマーシャンク５０の上端部に設けられていて、離鍵状態では、後方に鉛直に張られた弦Ｓに対向している。
【００３４】
次に、バットスプリング６について説明する。
このバットスプリング６は、図３に示すように、ねじりコイルばねで構成されており、コイル部６０、第１足部６１および第２足部６２を有している。
【００３５】
コイル部６０は、バット４の溝４３に収容された状態で（図２参照）、バットフレンジコード７に係止されており、第１足部６１は、コイル部６０の一端から下方に延び、溝４３の底面に当接している。
【００３６】
第２足部６２は、コイル部６０の他端から下方に延びており、その下端部に、フック部６３が形成されている。
フック部６３は、バット４側に凸に湾曲した状態で突出しており、バットフレンジ４０に取り付けられたバットフレンジコード７が引っ掛けられる。
【００３７】
すると、バットスプリング６は、バット４とバットフレンジ４０の間にたわんだ状態で取り付けられることとなり、それにより、バット４を前方に常に付勢し、ハンマー５を図１の時計回りに付勢する。
【００３８】
次に、バットフレンジ４０及びバットフレンジコード７について説明する。
バットフレンジ４０は、図４に示すように、本体４１と、この本体４１の上面から所定間隔開けて上方に向かって延設された二叉部４２とを備え、この本体４１と二叉部４２とにより、前方から見ると略凹の字状に形成されている。
【００３９】
バット４は、後方下部の角部４ａが二叉部４２の間に差し込まれ、バット４の後方下部の角部４ａと、二叉部４２とにピン４８が通され、このピン４８を支点に回動可能に支持されている（図１参照）。
【００４０】
また、バットフレンジ４０には、右側の二叉部４２の前方側の頂部で上方に向かって開口する差込孔４０ａから、右側の二叉部４２の根本部分の下方の本体４１で前方に向かって開口する引出孔４０ｂまで、バットフレンジコード７を通す糸通孔４０ｃが形成されている。
【００４１】
また、バットフレンジ４０の引出孔４０ｂの下方には、バットフレンジコード７の先端が巻回された巻取ネジ４０ｄが設けられている。この巻取ネジ４０ｄを回転操作することで、バットフレンジコード７を巻き取ったり、引き出したりすることができる。
【００４２】
バットフレンジコード７の一端は、この糸通孔４０ｃに通されると、差込孔４０ａと引出孔４０ｂとが異なる方向を向いているため抵抗を受けて仮止めされ、さらに、巻取ネジ４０ｄによって完全に固定されている。
【００４３】
また、バットフレンジコード７は、巻取ネジ４０ｄを回転することにより、バットフレンジ４０の左側の二叉部４２に接着して固定された部分と、右側の二叉部４２に糸通孔４０ｃと巻取ネジ４０ｄとによって固定された部分（より具体的には差込孔４０ａ）との間の、バットスプリング６の第２足部６２が引っ掛けられる引掛部の長さを変更することができる。
【００４４】
このようにバットフレンジコード７のバットフレンジ４０に固定されている部分の間の引掛部の長さを変更することができるとバットスプリング６のたわみを変更することができる。
【００４５】
このたわみを、図３に示すように、バットスプリング６の第１足部６１および第２足部６２の間の角度θで表すと、このθが小さければ小さいほど、バットスプリング６がバット４を前方側に付勢する付勢力は大きくなる。
【００４６】
すなわち、本実施形態のアクション１は、巻取ネジ４０ｄを回転量を調整することで、バットスプリング６がバット４を付勢する付勢力を適切に調整することができる。
尚、バットフレンジ４０の本体４１の中央にはネジ孔４１ｈが設けられ、バットフレンジ４０は、このネジ孔４１ｈにネジを通して、センターレール８０に固定される。
【００４７】
巻取ネジ４０ｄは、正面から見て、ネジ孔４１ｈの右側に配置される。
次に、上述したアクション１などの押鍵の開始から離鍵の終了までの一連の動作について説明する。
【００４８】
演奏者により離鍵状態の鍵９０が押鍵されると、図１に示すように、鍵９０は、筬中９２を支点に揺動し、その後端部に載置されたウィッペン２は、鍵９０に突き上げられることによって、支点２１を中心として上方（反時計回り）に回動する。
【００４９】
このウィッペン２の回動に伴い、ジャック３は、ウィッペン２と一緒に上方に移動し、バット４を突き上げる。これにより、バット４およびハンマー５は、バットスプリング６の付勢力に抗しながら、ピン４８を中心として、後方の弦Ｓに向かって反時計回りに回動する。
【００５０】
そして、ウィッペン２が所定角度、回動したときに、ジャック３の基部３０がレギュレティングボタン３４に当接し、上方への移動が規制されることにより、ジャック３がウィッペン２に対して時計回りに回動する。
【００５１】
押鍵がさらに進むと、ジャック３がウィッペン２に対してさらに回動することによって、ジャック３から前方に外れ、ジャック３がバット４から離脱する（レットオフ）。
これにより、鍵９０のタッチ重さからバット４およびハンマー５の重量分が失われることによって、演奏者にレットオフ感が付与される。
【００５２】
また、このジャック３の離脱後、ハンマー５は、慣性で回動し、弦Ｓを打弦することによって、ピアノ音を発生させる。
その後、ハンマー５は、バットスプリング６の付勢力によって時計回りに復帰回動し、キャッチャー４９がバックチェック２４に係止されることによって、一旦、停止する。
【００５３】
そして、押鍵が終了し、鍵９０が離鍵されるのに伴い、バックチェック２４によるハンマー５の係止状態が解除され、それにより、ハンマー５は復帰回動を再開する。
また、これと並行して、鍵９０およびアクション１なども復帰回動することによって、図１に示す離鍵状態に復帰し、押鍵の開始から離鍵の終了までの一連の動作が終了する。
【００５４】
以上説明した本実施形態のアクション１は以下のような特徴がある。
本実施形態のアクション１は、巻取ネジ４０ｄにより、バットフレンジコード７の引掛部の長さを可変することで、バットスプリング６の第１足部６１と第２足部６２との間隔を変更して、バットスプリング６がバット４を非打弦方向に付勢する付勢力を変更することができる。
【００５５】
従って、本実施形態のアクション１を用いると、バットスプリング６のバット４への付勢力を自在に調整することができる。
また、本実施形態のアクション１は、巻取ネジ４０ｄでバットフレンジコード７を巻き取ることで、バットフレンジコード７の長さを変更しているので、巻取ネジ４０ｄの回転数を管理することで、バットフレンジコード７の引掛部の長さを調整でき、ひいては、バットスプリング６の付勢力を調整することができる。
【００５６】
また、本実施形態のアクション１は、バットフレンジコード７を糸通孔４０ｃに通すことで仮止めし、そのバットフレンジコード７を巻取ネジ４０ｄで巻き取って固定しているので、バットフレンジコード７が押鍵のたびに引っ張られて固定が解かれる方向に力が働いても、固定が解かれて、バットフレンジコード７の引掛部の長さが変わってしまうことを防止することができる。
【００５７】
（その他の実施形態）
上記実施形態では、バットフレンジコード７を糸通孔４０ｃに通し、その糸通孔４０ｃから出てきた先端を巻取ネジ４０ｄで巻き取る構成としたが、図５に示すように、構成してもよい。
【００５８】
すなわち、糸通孔４０ｃに通っているバットフレンジコード７を、バットフレンジ４０に螺合すると先端が糸通孔４０ｃに達するネジ４０ｇを用い、糸通孔４０ｃを通っているバットフレンジコード７を糸通孔４０ｃ内でネジ４０ｇの先端でバットフレンジコード７を糸通孔４０ｃに押しつけて固定するようにしてもよい。
【００５９】
このようにすると、糸通孔４０ｃを抜けたバットフレンジコード７の先端を引っ張ったり、逆方向にひっぱるなどして、糸通孔４０ｃ内でバットフレンジコード７を移動させ、所定位置でネジ４０ｇを用いて固定すれば、バットフレンジコード７を固定する位置を変えることで、バットフレンジコード７の引掛部分の長さを可変することができる。
【００６０】
このようにすると、糸通孔４０ｃに通したバットフレンジコード７の糸通孔４０ｃ内での位置を変えて、ネジ４０ｇで固定する簡単な操作で、バットフレンジコード７の引掛部分の長さを変更することができる。
【００６１】
しかも、このようにすると、糸通孔４０ｃ内で強固にバットフレンジコード７を固定することができるので、バットフレンジコード７が押鍵のたびに引っ張られて固定が解かれる方向に力が働いても、固定が解かれて、バットフレンジコード７の引掛部の長さが変わってしまうことを防止することができる。
【００６２】
尚、特許請求の範囲に記載された調整ネジは、上述の実施形態の巻取ネジに相当し、固定部は、バットフレンジコード７の一端がバットフレンジ４０に接着されて固定された部分と、糸通孔４０ｃと、巻取ネジ４０ｄ（図４参照）、又は、糸通孔４０ｃと、ネジ４０ｇ（図５参照）に相当する。
【００６３】
また、本発明は、特許請求の範囲に記載された発明の趣旨に合致するものであればよく、上述の実施形態に限定されるものではない。
【符号の説明】
【００６４】
１…アクション、２…ウィッペン、３…ジャック、４…バット、４ａ…角部、５…ハンマー、６…バットスプリング、７…バットフレンジコード、２０…ウィッペンフレンジ、２１…ピン、２２…ヒール部、２３…バックチェックワイヤ、２４…バックチェック、３０…基部、３１…突上部、３２…支点、３３…ジャックスプリング、３４…レギュレティングボタン、４０…バットフレンジ、４０ａ…差込孔、４０ｂ…引出孔、４０ｃ…糸通孔、４０ｄ…巻取ネジ、４０ｇ…ネジ、４１…本体、４１ｈ…ネジ孔、４２…二叉部、４３…溝、４８…ピン、４９…キャッチャー、５０…ハンマーシャンク、５１…ハンマーヘッド、５１ａ…ハンマーウッド、５１ｂ…ハンマーフェルト、６０…コイル部、６１…第１足部、６２…第２足部、６３…フック部、８０…センターレール、９０…鍵、９１…筬、９２…筬中、Ｓ…弦、θ…角度
【図１】
2012073502.tif 000003
【図２】
2012073502.tif 000004
【図３】
2012073502.tif 000005
【図４】
2012073502.tif 000006
【図５】
2012073502.tif 000007
【図６】
2012073502.tif 000008
【図７】
2012073502.tif 000009